【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】  １以上の外部装置と通信可能な記憶システムにおいて、
複数の論理デバイスと、
所定の複数のアクセス属性モードから選択された１以上のアクセス属性モードを各論理デバイスに対して設定するアクセス属性モード設定手段と、
前記外部装置から、指定された論理デバイスに関するアクセス動作を要求するコマンドを入力した場合、前記指定された論理デバイスに設定されているアクセス属性モードに基づいて、前記要求されたアクセス動作を制御し、そして、前記アクセス属性モードに基づいて前記要求されたアクセス動作を制御した結果に応じた情報をもつ応答を前記外部装置に出力するアクセス制御手段と
を備え、
前記所定のアクセス属性モードに、前記論理デバイスそれ自体又はその容量を認識するためのデバイス認識型動作に対して所定の制限を加えるための１以上のデバイス認識制御用モードが含まれており、
前記アクセス制御手段が、
前記指定された論理デバイスに設定されているアクセス属性モードが前記デバイス認識制御用モードである場合において、前記外部装置から要求されたアクセス動作が前記指定された論理デバイスに対する前記デバイス認識型動作である場合、前記設定されているデバイス認識制御用モードに基づいて前記要求されたデバイス認識型動作を制限した結果に応じた情報をもつ応答を前記外部装置に出力するためのデバイス認識制御手段を有する、
ことを特徴とする記憶システム。
【請求項２】  請求項１記載のものにおいて、
前記デバイス認識制限用モードの一つがリードキャパシティゼロであり、
前記指定された論理デバイスに設定されているアクセス属性モードが前記リードキャパシティゼロである場合において、前記外部装置から要求されたアクセス動作が前記指定された論理デバイスの容量を認識することである場合、
前記アクセス制御手段の前記デバイス認識制御手段が、前記指定された論理デバイスの容量がゼロであることを示す情報をもつ応答を前記外部装置に出力する、
ことを特徴とする記憶システム。
【請求項３】  請求項１記載のものにおいて、
前記デバイス認識制限用モードの一つがインクエリ抑止であり、
前記指定された論理デバイスに設定されているアクセス属性モードが前記インクエリ抑止である場合において、前記外部装置から要求されたアクセス動作が前記指定された論理デバイスそれ自体を認識することである場合、
前記アクセス制御手段の前記デバイス認識制御手段が、前記指定された論理デバイスの認識を抑止した結果を示す情報をもつ応答を前記外部装置に出力する、
ことを特徴とする記憶システム。
【請求項４】  請求項１記載のものにおいて、
前記指定された論理デバイスに設定されているアクセス属性モードが前記デバイス認識制御用モードである場合において、前記外部装置から要求されたアクセス動作が前記指定された論理デバイスに対するデータのリード又はライトである場合、
前記アクセス制御手段の前記デバイス認識制御手段が、前記指定された論理デバイスに対するデータのリード又はライトが抑止された結果を示す情報をもつ応答を前記外部装置に出力する、
ことを特徴とする記憶システム。
【請求項５】  請求項１記載のものにおいて、
前記所定のアクセス属性モードに、前記指定された論理デバイスをセコンダリボリュームとして他の論理デバイスとのコピーペアを形成するためのコピーペア形成動作に所定の制限を加えるための１以上のコピーペア形成制御用モードが含まれており、
前記アクセス制御手段が、
前記指定された論理デバイスに設定されているアクセス属性モードが前記コピーペア形成制御用モードである場合において、前記外部装置から要求されたアクセス動作が前記指定された論理デバイスに関する前記コピーペア形成動作である場合、前記設定されているコピーペア形成制御用モードに基づいて前記要求されたコピーペア形成動作を制限した結果に応じた情報をもつ応答を前記外部装置に出力するためのコピーペア形成制御手段を有する、
ことを特徴とする記憶システム。
【請求項６】  請求項５記載のものにおいて、
前記所定のアクセス属性モードに、更に、前記指定された論理デバイスに対してデータのリード又はライトを行なうためのデータ操作型動作を制御するための１以上のデータ操作制御用モード、及び／又は、前記指定され論理デバイスそれ自体又はその容量を認識ためのデバイス認識型動作を制御するための１以上のデバイス認識制御用モードが含まれており、
前記アクセス属性モード設定手段は、同じ論理デバイスに対して、前記データ操作制御用モードと前記コピーペア形成制御用モードの双方を重複して、又は、前記デバイス認識制御用モードと前記コピーペア形成制御用モードの双方を重複して設定することができる、
ことを特徴とする記憶システム。
【請求項７】  請求項１記載のものにおいて、
前記記憶システムは、装置種類の異なる複数の外部装置と通信可能であり、
所定の複数の装置モードの中から、前記外部装置の各々の装置種類に応じた一つの装置モードを選び、選ばれた装置モードを前記外部装置の各々に設定する装置モード設定手段と、
所定種類のコマンドを処理する場合に実行されるべき動作の種類を装置モード毎に記憶したモード依存動作記憶手段と、
コマンドを処理した結果が所定種類の結果である場合に前記処理されたコマンドに対する応答に含まれるべき情報の種類を装置モード毎に記憶したモード依存応答記憶手段と、
いずれかの外部装置から入力されたコマンドを処理するものであって、前記入力されたコマンドが前記所定種類のコマンドである場合、前記入力されたコマンドを処理する過程で、前記モード依存動作記憶手段に記憶されている装置モード毎の動作種類の中から、前記コマンドを発した外部装置に設定されている装置モードに応じた動作種類を選び、選ばれた動作種類に対応する動作を実行するコマンド処理手段と、
前記コマンド処理手段による処理の結果に応じた応答情報を含んだ応答を、前記コマンドを発した外部装置に出力するものであって、前記処理の結果が前記所定種類の結果である場合、前記モード依存応答記憶手段に記憶されている装置モード毎の情報種類の中から、前記コマンドを発した外部装置に設定されている装置モードに応じた情報種類を選び、選ばれた情報種類に対応する情報を含んだ応答を前記コマンドを発した外部装置に出力するコマンド応答手段と
をさらに備えたことを特徴とする記憶システム。
【請求項８】  請求項１記載のものにおいて、
前記アクセス制御手段が、前記外部装置の何れから前記コマンドが入力された場合であっても、前記要求されたアクセス動作を、前記指定された論理デバイスに設定されているアクセス属性モードに基づいて同様に制御することを特徴とする記憶システム。
【請求項９】  装置種類の異なる複数の外部装置と、前記外部装置と通信可能な請求項１乃至８に記載の記憶システムとを備えたコンピュータシステムにおいて、
前記複数の外部装置はそれぞれ、前記記憶システムを利用するアプリケーションプログラムと、アプリケーションプログラムからの指示に応じて前記記憶システムの論理デバイスのセキュリティ機能の設定又制御に関わる管理用制御を行なうためのストレージ管理プログラムを搭載しており、
前記複数の外部装置はそれぞれ、前記アプリケーションプログラムから前記ストレージ管理プログラムグラムを介して、前記記憶システムに対する前記管理用制御を自動的に行なうことを特徴とするコンピュータシステム。